(57)【要約】【課題】ファンの排熱能力を適正にし、駆動系への負担を軽減した低騒音な排熱用筐体装置を提供することにある。【解決手段】排熱用筐体装置においては、筐体１０内で可動される可動部２４に対向して筐体１０内の空間に開口する開口部４２ａ、４２ｂを備えるフレーム状ベース部３４ａが筐体２４に取り付け固定されている。内部に中空部４０ａ、４０ｂを備える中空ベース部３０ａ、３０ｂがこのフレーム状ベース部３４ａに固定され、排熱ファン３ａ、３２ｂがこの中空ベース部３０ａ、３０ｂに載置固定され、排熱ファン３ａ、３２ｂが中空部及び開口部を介して筐体内から熱を排出している。【選択図】      図２
2007151616.tif 000002
【特許請求の範囲】
【請求項１】
筐体と、
筐体で熱を発生する機器と、
この筐体内を可動する可動部と、
この可動部に対向されて前記筐体に取り付け固定され、前記筐体内空間に開口する開口部を備えるフレーム状ベース部と、
このフレーム状ベース部に固定され、内部に中空部を備える第１の中空ベース部と、
この中空ベース部に載置固定され、前記中空部及び前記開口部を介して筐体内から熱を排出する排熱ファンと、
を具備することを特徴とする筐体装置。
【請求項２】
前記可動体は、前記筐体内を回転する回転体であって、この回転体の回転に伴い空気流が前記筐体に沿って生ずることを特徴とする請求項１の筐体装置。
【請求項３】
前記フレーム状ベース部に固定され、内部に中空部を備える第２の中空ベース部を更に具備し、第１及び第２の前記中空部が前記可動体の移動方向に沿って配列されることを特徴とする請求項１の筐体装置。
【請求項４】
前記第１の中空ベース部には、複数の排熱ファンが載置固定されていることを特徴とする請求項１の筐体装置。
【発明の詳細な説明】
【技術分野】
【０００１】
この発明は、筐体内から熱を外部に排出する排熱部を備えた筐体装置に係り、特に、筐体内に発熱源を有するとともにその内に可動する可動体を備えた機器で生ずる熱を筐体外部に排出する排熱用筐体装置に関する。
【背景技術】
【０００２】
一般に筐体内に発熱源を備えた装置は、筐体内の熱を外部に放出する排熱ファンを備え、筐体内の温度上昇を抑制して機器の安定な動作を確保している。筐体内部に発熱量が大きい場合には、発熱量に応じて排熱ファンの能力を大きくするとともに、筐体外からの冷却流を導入して筐体内温度の上昇を抑制している。筐体内に発熱の大きな機器が配置される装置の一例として、内部に発熱源としてＸ線管、Ｘ線管用冷却装置、高電圧発生装置等が配置されているＸ線ＣＴ装置があり、特許文献１、特許文献２或いは特許文献３に開示されるよう、Ｘ線ＣＴ装置の筐体には、通常、内部の熱を排熱するための排熱ファンが設けられている。
【特許文献１】特開２００３−１４４４２５
【特許文献２】特開２００４−１２１７１７
【特許文献３】特開平１１−１８８０２９
【発明の開示】
【発明が解決しようとする課題】
【０００３】
筐体内に発熱源を備え、その筐体内に可動される可動部、例えば、回転する回転体或いは直線的に移動する移動体が配置されている装置にあっては、可動部の移動に伴い空気流が生じ、この空気流が原因で排熱ファンの負荷が増大し、排熱ファンからの風切音或いは離散周波数音が増加する問題がある。
【０００４】
具体的には、特許文献１、特許文献２或いは特許文献３に開示されるようなＸ線ＣＴ装置においては、筐体内に回転体が配置され、回転体には、発熱源としてＸ線管、Ｘ線管用冷却装置、高電圧発生装置等が載置され、筐体上部に２つの排熱ファンが設置されている。特許文献１或いは特許文献２等には、この排熱ファンは、単に筐体に設けられるのみで、特に詳細な配置について記載されていない。
【０００５】
排熱ファンは、通常、ベースに固定され、このベースは、筐体の小型化を図る観点から、可動部としての回転体の外周に対向して配置され、排熱ファンの設置面が回転体外周に対して略並設されるように設置されている。このような配置の排熱ファンにあっては、可動体として回転体が移動、即ち、回転されると、可動体に沿うように移動方向に沿って空気の流れが生じるが、排熱ファンの設置面がこの空気流に直接接していることから、排熱ファンへの空気の流入が阻害され、結果として排熱ファンでの余計な負荷が増加し、排熱ファンからの風切音或いは離散周波数音が増加する問題がある。
【０００６】
このように熱を発生する機器の多くには、排熱用のファンが取り付けられているが、機器の内部において、排熱ファンに対する相対運動（例えば回転など）を伴う場合、機器内部で起こる空気の流れの影響で、排熱ファンへの吸気に乱れが生じてしまう。従って、排熱ファンが煽られることとなり、排熱ファンに余計な負荷が与えられ、排熱ファン回転特有の離散周波数音が増幅される。また、排熱ファンの流量が低下し、その結果ファン本来の排熱性能が得られなくなる。
【０００７】
以上のように、単に排熱ファンを小型化された筐体に取り付ける場合には、空気流に沿って排熱ファンの設置面が配置されるように固定され、効果的に筐体内の熱を外部に排出することができない問題がある。
【０００８】
この発明は、上述した問題点を解決するためになされてものであり、その目的は、ファンの排熱能力を適正にし、駆動系への負担を軽減した低騒音な排熱用筐体装置を提供することにある。
【課題を解決するための手段】
【０００９】
この発明によれば、
筐体と、
筐体で熱を発生する機器と、
この筐体内を可動する可動部と、
この可動部に対向されて前記筐体に取り付け固定され、前記筐体内空間に開口する開口部を備えるフレーム状ベース部と、
このフレーム状ベース部に固定され、内部に中空部を備える第１の中空ベース部と、
この中空ベース部に載置固定され、前記中空部及び前記開口部を介して筐体内から熱を排出する排熱ファンと、
を具備することを特徴とする筐体装置が提供される。
【発明の効果】
【００１０】
この発明によれば、ファンの排熱能力を適正にし、ファンの駆動系への負担を軽減することができ、低騒音な排熱用筐体装置を実現することができる。
【発明を実施するための最良の形態】
【００１１】
以下、必要に応じて図面を参照しながら、この発明の一実施の形態に係る排熱用筐体装置を説明する。
【００１２】
始めに、筐体に排熱部を備え、筐体内に発熱する機器及び可動される可動部を備えた機器の一例としてＸ線ＣＴ装置のガントリ（筐体装置）の概略的な構成について、図１を参照して説明する。
【００１３】
図１は、この発明の一実施の形態に係る排熱用筐体装置としてのＸ線ＣＴ装置のガントリ１００を概略的に示す正面図である。図１において、排熱部１４を明瞭に示す為にガントリ１００の筐体１０の一部が破断して示されている。筐体１０は、図１に示されるように基部１０ｂが略矩形に形成され、基部１０ｂ上に円弧状の上部１０ａが載置されたような正面形状を有する箱形に一体的に形成されている。基部１０ｂ内には、当該ガントリ１００を支持する支柱２０が設けられ、この支柱２０によって筐体１００が支持固定されている。また、筐体１０の中央部には、空洞１２が設けられ、この空洞１２内に被検体（図示せず）が寝かされる寝台１６が配置され、診断時には、図示しない寝台移動機構でこの寝台１６が被検体とともに移動され、被検体の関心領域にＸ線が照射される。
【００１４】
筐体１０内には、中心部に空洞１２に対応した円状開口が形成された可動部としての円盤状回転体２４が配置され、図示しない回転用モータでこの円盤状回転体２４が矢印Ｒ０で示すように回転される。この回転体２４には、ファン状のＸ線ビームを被検体の関心領域に向けて照射するＸ線管、関心領域を通過したＸ線ビームを検出する検出器、Ｘ線管を附勢する為のＸ線管附勢回路並びに高電圧電源回路、Ｘ線管を冷却する為の冷却装置及び検出器からの検出信号を収集するデータ収集部が載置固定されている。回転体２４上のＸ線管等の装置は、図面を簡略化する目的から図示を省略している。
【００１５】
この筐体１０内においては、回転体２４上のＸ線管、高電圧電源回路等から、また、回転体２４外の回転用モータから熱が発生され、筐体１０内に熱が籠もることから、筐体上部１０ａの左右には、排熱部２６，２８が設けられて筐体１０内の熱が筐体１０外に排出される。排熱部２６は、図２（ａ）及び（ｂ）にも示されるように、一対の排熱ファン３２ａ及び３２ｂから構成され、段々状に配置されている中空箱形状或いは中空台座状のベース３０ａ、３０ｂに夫々載置固定され、この中空箱形状或いは台座状のベース３０ａ、３０ｂがフレーム状ベース３４ａ上に設置固定されている。フレーム状ベース３４ａは、筐体上部１０ａ並びに支柱２０等に吊り下げ固定或いは支持固定されている。同様に、排熱部２８は、図１に示されるように、一対の排熱ファン３２ｃ及び３２ｄから構成され、夫々中空箱形状或いは中空台座状のベース３０ｃ、３０ｄに載置固定され、この台座状のベース３０ｃ、３０ｄがフレーム状ベース３４ｂ上に設置固定されている。フレーム状ベース３４ｂは、筐体上部１０ａ並びに支柱２０等に吊り下げ固定或いは支持固定されている。
【００１６】
中空箱形状或いは中空台座状のベース３０ａ、３０ｂは、回転体２４の回転方向（可動体の移動方向に相当する。）に沿って配置され、その内に空洞部４０ａ，４０ｂを規定し、フレーム状ベース３４ａが開口４２ａ、４２ｂを有していることから、排熱ファン３２ａ及び３２ｂは、筐体１０内の空間に直接接することなく、空洞部４０ａ，４０ｂ及びフレーム状ベース３４ａが開口４２ａ、４２ｂを介して筐体１０内の空間に接している。回転体２４が回転されると、筐体１０内には、空気流が直接矢印Ｆ０で示すように流れるが、この空気流から分離されて排熱ファン３２ａ及び３２ｂが配置されていることから、筐体１０内から空気流に沿って配列されている空洞部４０ａ，４０ｂ内空間に空気が導かれ、この空気が排熱ファン３２ａ及び３２ｂによって効果的に外部に排気される。排熱ファン３２ａ及び３２ｂが直接空気流に接しているような場合には、空気流は、筐体１０の内面に沿って流れ、筐体１０内の空間と排熱ファン３２ａ及び３２ｂとは、筐体内面の空気流で遮断される虞があるが、この空気流と排熱ファン３２ａ及び３２ｂとの間に空洞部４０ａ，４０ｂが設けられることから、排熱ファン３２ａ及び３２ｂに空気が流入する前にいったん空気をよどませ、排熱ファン３２ａ及び３２ｂが空気を吸い上げる自然な作用によって空気が流れるようにすることで、排熱ファン本来の流量に加えて回転によって付加的に空洞部４０ａ，４０ｂに流入する空気流をも確実に外部に排出させることができる。
【００１７】
中空台座状のベース３０ｃ、３０ｄも同様にその内に空洞部４０ｃ，４０ｄを規定し、フレーム状ベース３４ｂが開口４２ｃ、４２ｄを有していることから、排熱ファン３２ｃ及び３２ｄは、筐体１０内の空間に直接接することなく、空洞部４０ｃ，４０ｄ及びフレーム状ベース３４ｂが開口４２ｃ、４２ｄを介して筐体１０内の空間に接している。従って、排熱ファン３２ｃ及び３２ｄに空気が流入する前にいったん空気をよどませ、排熱ファン３２ｃ及び３２ｄが空気を吸い上げる自然な作用によって空気が流れるようにすることで、排熱ファン本来の流量に加えて回転によって付加的に空洞部４０ｃ，４０ｄに流入する空気流をも確実に外部に排出させることができる。
【００１８】
尚、図１及び図２（ａ）及び（ｂ）においては、筐体１０内から空気流に沿って空洞部４０ａ，４０ｂが配列されているが、空気流に対して交差する方向に空洞部４０ａ，４０ｂが配列されていても良い。
【００１９】
図３及び図４（ａ）及び（ｂ）には、図１及び図２（ａ）及び（ｂ）に示した排熱部の具体的な例が示されている。図３に示されるように中空箱形状或いは中空台座状のベース３０ａ、３０ｂは、一体化されたフレーム４６ａに段差を設けて形成され、フレーム状ベース３４ａもこのフレーム４６ａに一体化されて形成されている。図４（ａ）及び（ｂ）に示すように、フレーム４６ａには、筐体１０内に対向する側に窪みが形成されて中空箱形状或いは中空台座状のベース３０ａ、３０ｂ下に空洞部４０ａ，４０ｂが設けられている。図３に示す具体例では、中空箱形状或いは中空台座状のベース３０ｂには、１つの排熱ファン３２ｂが設けられているが他方の中空箱形状或いは中空台座状のベース３０ａには、２つの排熱ファン３２ａが設けられて排気能力が高められている。また、フレーム４６ａには、筐体１０にこのフレーム４６ａを取り付け固定するための取り付け脚部４８ａ，４８ｂを備え、この脚部４８ａ，４８ｂにより確実に筐体１０に固定されている。
【００２０】
中空箱形状或いは中空台座状のベース３０ｃ、３０ｄも同様に一体化されたフレーム４６ｂに形成され、このフレーム４６ｂにも同様に取り付け脚部４８ａ，４８ｂが固定されている。
【００２１】
図２に示された実施例に係る排熱部では、中空箱形状或いは中空台座状のベース３０ａ、３０ｂが段差を設けて傾斜されているフレーム状ベース３４ａに設けて三角柱状の空洞部４０ａ，４０ｂが設けられているが、図５に示されるように中空箱形状或いは中空台座状のベース３０ａ、３０ｂが傾斜されているフレーム状ベース３４ａに設けられ、中空箱形状或いは中空台座状のベース３０ａ、３０ｂ内に柱状の空洞部４０ａ，４０ｂが規定されても良い。
【００２２】
また、図６に示されるように、排熱ファン３２ａ及び３２ｂと中空箱形状或いは中空台座状のベース３０ａ、３０ｂとの間に防振材５０ａ及び５０ｂが挿入配置されても良い。排熱ファン３２ａ及び３２ｂから中空台座状のベース３０ａ、３０ｂへの振動伝達が防振材５０ａ及び５０ｂによって減衰され、排熱部自体からの騒音低減を図ることができる。
【００２３】
図２（ａ）及び（ｂ）並びに図７に示されるように中空箱形状或いは中空台座状のベース３０ａ、３０ｂ上に１つの排熱ファン３２ａ及び３２ｂが夫々載置されても良く、図８に示されるようにフレーム状ベース３４ａに１つの中空箱形状或いは中空台座状のベース３０ａが載置され、この中空台座状のベース３０ａに排熱ファン３２ａが設けられても良い。また、図９に示されるようにフレーム状ベース３４ａに１つの中空箱形状或いは中空台座状のベース３０ａが載置され、この中空箱形状或いは中空台座状のベース３０ａに３つの排熱ファン３２ａが設けられても良く、図１０に示されるようにフレーム状ベース３４ａに２つの中空台座状のベース３０ａ、３０ｂが載置固定され、この中空箱形状或いは中空台座状のベース３０ａ、３０ｂに複数の排熱ファン３２ａ、３２ｂが設けられても良い。更に、図１１に示されるようにフレーム状ベース３４ａに１つの設置面積が大きい中空箱形状或いは中空台座状のベース３０ａが載置され、この中空台座状のベース３０ａの設置面に２列に同数の排熱ファン３２ａ、３２ｂが設けられても良く、図１２に示されるようにフレーム状ベース３４ａに１つの設置面積が大きい中空台座状のベース３０ａが載置され、この中空台座状のベース３０ａの設置面に各列で異なる数が配置される２列の排熱ファン３２ａ、３２ｂが設けられても良い。また、図１３及びに示されるようにフレーム状ベース３４ａに２つの中空箱形状或いは中空台座状のベース３０ａ、３０ｂが載置固定され、この中空台座状のベース３０ａ、３０ｂの夫々に異なる数の排熱ファン３２ａ、３２ｂが設けられても良い。図１３に示される例では、中空箱形状或いは中空台座状のベース３０ａに１つの排熱ファン３２ａが設けられ、中空箱形状或いは中空台座状のベース３０ｂに２つの排熱ファン３２ｂが設けられている。図１４に示される例では、中空箱形状或いは中空台座状のベース３０ａに２つの排熱ファン３２ａが設けられ、中空台座状のベース３０ｂに４つの排熱ファン３２ｂが設けられている。
【００２４】
上述したようにファン３２ａ〜３２ｄが複数個設置される場合、設置する機器の形状或いは寸法に合わせて、それぞれの中空箱形状或いは中空箱形状或いは中空台状ベース３２ａ〜３２ｄに設置される排熱ファンの個数は同数である必要はなく、各中空箱形状或いは中空台状ベース３２ａ〜３２ｄに設置されるファンの数は適宜定めることができる。
【００２５】
尚、この発明は、Ｘ線ＣＴ装置のようにその筐体内で回転体が回転される装置に限らず、筐体内で直線的に移動体即ち可動体が移動されるような装置に適用できることは明らかである。
【００２６】
以上のように、この発明の排熱用筐体装置においては、ファンの排熱能力を適正にし、駆動系への負担を軽減することができ、低騒音な排熱用筐体装置を実現することができる。この発明の実施例に係る排熱用筐体装置においては、可動部材とファン取り付け位置の間にベースが設けられて可動部材の移動で生じる空気の流れのための空間を設け、更に、排熱ファンは中空の台座を介してベースに取り付けることで可動部材の移動による空気の流れから完全に分離されたよどみ空間を設け、排熱ファンに空気が流れるようにしている。排熱ファンと機器の間の空間容積を大きくとることができるため、バッファ効果が高まり、排熱ファンの流量を適切に維持でき、さらに排熱ファンと機器壁面との距離が大きくなることにより、より排熱ファンからの発生音を抑制することができる。
【図面の簡単な説明】
【００２７】
【図１】この発明の一実施の形態に係る排熱部を備えたＸ線ＣＴ装置のガントリ（筐体装置）を概略的に示す正面図である。
【図２】（ａ）及び（ｂ）は、図１に示された排熱用筐体装置を概略的に示す断面図及び拡大断面図である。
【図３】図１に示された排熱用筐体装置の具体例を示す斜視図である。
【図４】（ａ）及び（ｂ）は、図３に示された排熱部が取り付けられたＸ線ＣＴ装置のガントリの内部構造を部分的に示す概略断面図及びその排熱部の取り付け構造を示す拡大断面である。
【図５】この発明の他の実施の形態に係る排熱部を備えるＸ線ＣＴ装置のガントリの一部を概略的に示す断面図である。
【図６】図２に示す排熱部の変形例に係る排熱部を備えるＸ線ＣＴ装置のガントリの一部を概略的に示す断面図である。
【図７】図１に示す排熱部を備えるＸ線ＣＴ装置のガントリ（筐体装置）の一部を概略的に示す斜視図である。
【図８】図１に示す排熱用筐体装置の他の変形例に係る排熱用筐体装置を概略的に示す斜視図である。
【図９】図１に示す排熱用筐体装置の他の変形例に係る排熱用筐体装置を概略的に示す斜視図である。
【図１０】図１に示す排熱用筐体装置の他の変形例に係る排熱用筐体装置を概略的に示す斜視図である。
【図１１】図１に示す排熱用筐体装置の他の変形例に係る排熱用筐体装置を概略的に示す斜視図である。
【図１２】図１に示す排熱用筐体装置の他の変形例に係る排熱用筐体装置を概略的に示す斜視図である。
【図１３】図１に示す排熱用筐体装置の他の変形例に係る排熱用筐体装置を概略的に示す斜視図である。
【図１４】図１に示す排熱用筐体装置の他の変形例に係る排熱用筐体装置を概略的に示す斜視図である。
【符号の説明】
【００２８】
１２．．．空洞、１４、２６、２８．．．排熱部、１６．．．寝台、２０．．．支柱、２４．．．回転体、３０ａ〜３０ｄ．．．中空箱形状或いは中空台状ベース、３２ａ〜３２ｄ．．．排熱ファン、３４ａ、３４ｂ．．．フレーム状ベース、４０ａ、４０ｂ．．．空洞部、４２ａ、４２ｂ．．．開口、４６．．．フレーム、４８ａ、４８ｂ．．．脚部、５０ａ、５０ｂ．．．防振材
【図１】
2007151616.tif 000003
【図２】
2007151616.tif 000004
【図３】
2007151616.tif 000005
【図４】
2007151616.tif 000006
【図５】
2007151616.tif 000007
【図６】
2007151616.tif 000008
【図７】
2007151616.tif 000009
【図８】
2007151616.tif 000010
【図９】
2007151616.tif 000011
【図１０】
2007151616.tif 000012
【図１１】
2007151616.tif 000013
【図１２】
2007151616.tif 000014
【図１３】
2007151616.tif 000015
【図１４】
2007151616.tif 000016